(57)【特許請求の範囲】
【請求項１】
清水を収容するための収容キャビティ（１０）を有する便座（１）を含むポータブル隙間放水式便器であって、
前記便座（１）は上から下まで徐々に狭くなるボウル（１１）を有し、前記ボウル（１１）の底部が排水口（１４）であり、前記ボウル（１１）の頂部が段差環状平台（１２）であり、前記段差環状平台（１２）が幅広部（１２１）と幅狭部（１２３）からなり、
前記段差環状平台（１２）の上方に水流を分流するための隙間型水洗ノズル（１１１）が設けられ、隙間型水洗ノズル（１１１）による分流は、段差環状平台（１２）に案内されてボウル（１１）の表面に均一に分散され、
前記便座（１）に、収容キャビティ（１０）における清水を隙間型水洗ノズル（１１１）に供給可能な清水供給手段が更に配置されており、
該ポータブル隙間放水式便器は、汚水を収納するための汚水タンク（２）を更に含み、前記汚水タンク（２）の頂部に、汚水タンク（２）と回転可能に接続された埋め込み型バルブロックナット（７）及び埋め込み型バルブロックナット（７）とねじ接続されたねじ型シールバルブ（６）が取り付けられ、前記ねじ型シールバルブ（６）が排水口（１４）と連通され、前記汚水タンク（２）に、第２凹溝が形成され、前記埋め込み型バルブロックナット（７）の対応する位置に、第２突起が形成され、前記埋め込み型バルブロックナット（７）と汚水タンク（２）は第２凹溝と第２突起の相互係合により一体に接続され、前記埋め込み型バルブロックナット（７）と汚水タンク（２）との間に、第３シールリング（７０１）が設けられ、前記ねじ型シールバルブ（６）と埋め込み型バルブロックナット（７）との間に、第４シールリング（６０２）が設けられ、前記汚水タンク（２）と埋め込み型バルブロックナット（７）との結合部が汚水タンク（２）の内部キャビティ方向へ窪むように形成されることにより、ねじ型シールバルブ（６）が汚水タンク（２）に沈み込み、前記汚水タンク（２）に、固定の汚水排出口（２０２）及び／又は汚水タンク（２）と回転可能に接続された下水管（８）が設けられていることを特徴とする、ポータブル隙間放水式便器。
【請求項２】
前記隙間型水洗ノズル（１１１）に、ノズル注入口（１１２）の水流を分流する第１遮断分流稜（１１８）と第２遮断分流稜（１１４）とが形成されており、
第１遮断分流稜（１１８）で分流された第１分流の一部が第１横方向（１１９）に沿って段差環状平台（１２）の幅広部（１２１）から段差環状平台（１２）の幅狭部（１２３）まで流れ、他の一部が下向き方向に沿って扇形状のボウル（１１）の表面に沿って下へ流れ、
第２遮断分流稜（１１４）で分流された第２分流の一部が第２横方向（１１３）に沿って段差環状平台（１２）の幅広部（１２１）から段差環状平台（１２）の幅狭部（１２３）まで流れ、他の一部が下向き方向に沿って扇形状のボウル（１１）の表面に沿って下へ流れ、
前記第１横方向（１１９）と第２横方向（１１３）が逆方向であることを特徴とする請求項１に記載のポータブル隙間放水式便器。
【請求項３】
前記隙間型水洗ノズル（１１１）に、第３分流稜（１１６）が更に形成されており、前記第３分流稜（１１６）が第１遮断分流稜（１１８）と第２遮断分流稜（１１４）との間に位置し、第１遮断分流稜（１１８）と第２遮断分流稜（１１４）で分流された下向き水流を、第１斜方向（１１７）と第２斜方向（１１５）との２つの斜め下方向の水流に更に分流することを特徴とする、請求項２に記載のポータブル隙間放水式便器。
【請求項４】
前記清水供給手段は、手動供給手段、電動供給手段、又は、手動供給手段と電動供給手段との組合せであり、
前記手動供給手段は、第１管路（１５３）とピストン加圧ポンプ（１５４）を含み、前記ピストン加圧ポンプ（１５４）は、便座（１）に取り付けられ、ピストン加圧ポンプの注水口（１５７）により、収容キャビティ（１０）における清水を吸い込み、ピストン加圧ポンプの流出口（１５８）と接続された第１管路（１５３）を介して、隙間型水洗ノズル（１１１）に清水を供給し、前記注水口（１５７）には、一方向入口バルブ（逆止弁）が設けられており、
前記電動供給手段は、収容キャビティ（１０）における清水を吸引するための水中ポンプ（１８）と、第２管路（１７８）とを含み、前記水中ポンプ（１８）は、第２管路（１７８）を介して隙間型水洗ノズル（１１１）に清水を供給することを特徴とする請求項１、２、又は３に記載のポータブル隙間放水式便器。
【請求項５】
前記手動供給手段は、ナット（１６）を更に含み、前記便座（１）に、第１凹溝（１１６）が形成され、前記ナット（１６）の対応する位置に第１突起が形成され、前記便座（１）とナット（１６）は第１凹溝（１１６）と第１突起との相互係合により回転可能に接続され、前記ピストン加圧ポンプのシリンダ（１５１）の外壁面に雄ねじが形成され、前記シリンダ（１５１）がナット（１６）とねじ接続され、前記ナット（１６）と便座（１）との間に、第１シールリング（１６１）が設けられ、前記シリンダ（１５１）とナット（１６）との間に、第２シールリング（１６８）が設けられていることを特徴とする、請求項４に記載のポータブル隙間放水式便器。
【請求項６】
前記手動供給手段は、ナット（１６）の緩みを防止するための第１緩み防止手段と、シリンダ（１５１）の回転を防止するための位置決め手段とを更に含み、前記第１緩み防止手段はナット（１６）と便座（１）とを接続し、前記位置決め手段は主に位置決めくさび（１６９）と連結アーム（１５９）からなり、前記位置決めくさび（１６９）は、連結アーム（１５９）によりシリンダ（１５１）と固定接続され、前記便座（１）に、位置決めくさび（１６９）に一致する窪み（１０９）が形成され、前記位置決めくさび（１６９）が窪み（１０９）に挿入されていることを特徴とする、請求項５に記載のポータブル隙間放水式便器。
【請求項７】
前記便座（１）には、収容キャビティ（１０）内に水を補充するための注水口（１７）が設けられ、前記注水口（１７）に、キャビティ（１７２）を有するジョイント（１７０）が設けられ、前記ジョイント（１７０）の頂部の外側面が下へ窪んで注水するための注水通路（１７３）を形成し、前記注水通路（１７３）により、注水口（１７）の頂部の開口が収容キャビティ（１０）と連通され、前記注水口（１７）の頂部の内側に、注水口内環（１７１）が形成され、前記ジョイント（１７０）が注水口内環（１７１）に一致する凹挟み口（１７４）を有し、注水口内環（１７１）と凹挟み口（１７４）との嵌合位置決めにより、ジョイント（１７０）が注水口（１７）と着脱可能に接続され、前記水中ポンプ（１８）の流出継手（１８１）がジョイント（１７０）の流込端（１７６）と接続され、前記第２管路（１７８）の一端がジョイント（１７０）の流出端（１７５）と接続され、前記注水通路（１７３）がキャビティ（１７２）と連通されず、前記ジョイント（１７０）の流込端（１７６）及び流出端（１７５）がキャビティ（１７２）と連通されていることを特徴とする、請求項４に記載のポータブル隙間放水式便器。
【請求項８】
前記埋め込み型バルブロックナット（７）と汚水タンク（２）との間に、埋め込み型バルブロックナット（７）の緩みを防止するための第２緩み防止手段が設けられていることを特徴とする、請求項１に記載のポータブル隙間放水式便器。
【請求項９】
前記汚水タンク（２）に第３凹溝（３０３）が形成され、前記下水管（８）の外壁面における対応する位置に、第３突起（８０３）が形成され、前記下水管（８）と汚水タンク（２）は、第３凹溝（３０３）と第３突起（８０３）との相互係合により一体に接続され、下水管（８）と汚水タンク（２）との間に、第５シールリング（８０２）が設けられ、前記下水管（８）の一部が汚水タンク（２）に伸び込み、汚水タンク（２）の内壁面における下水管（８）の注入口に近接する位置に、斜面構造（３１０）が設けられ、前記斜面構造（３１０）の最上点と下水管（８）の入口とは同一平面にあることを特徴とする請求項８に記載のポータブル隙間放水式便器。
【請求項１０】
前記汚水タンク（２）は、底部にスリット位置決め溝（２２０）を有し、前記スリット位置決め溝（２２０）の内部に、スリット位置決め溝（２２０）に挿入可能なシート状固定板又はＵ字状鉄筋のいずれかを挟持するための挟持構造が設けられることを特徴とする請求項１に記載のポータブル隙間放水式便器。
【発明の詳細な説明】
【技術分野】
【０００１】
本発明は衛生陶器の技術分野に関し、具体的には、手動加圧ピストンポンプ及び電気ポンプ付きの、隙間型ノズルで水洗する便器に関する。
【背景技術】
【０００２】
水洗便器及びポータブル水洗便器は市場で出回っている。一般的に、水洗形式は管状の単一ノズル、二重ノズル及び水平噴射の形式であり、水源は、伸縮可能な空気ポンプ又は手動昇降型のポンプで供給されるので、作動時に、回復を待つ必要がある、又は数回も繰り返して負圧を形成しなければならない。更に、水の流出圧力は人為的な力により増加させることができない。一方、一体型電池パック及びポンプで手動ポンプの位置を代替する電動水洗形式のものがあるが、多種形式を兼ね備えることができず、かつ、電池による給電では、電源の供給源が単一であり、使用者の異なる需要を満たすことができない。
【０００３】
また、便器に一致する（フィットする）汚水タンクは、従来では、シールバルブが汚水タンクの外部に回転可能に取り付けられるので、空間のコンパクトを実現することができず、他種のバルブ部材の全体が汚水タンクの内部に取り付けられ、どの部材の損壊が発生しても交換することができない。
【０００４】
また、従来の汚水タンクの固定は周囲のタブ又は底部に取り付けられた複雑な部材により実現されたものであり、位置決めが複雑になる。
【０００５】
また、従来のブロー成形汚水タンクに配置された回転可能な下水管では、下水管の一部が汚水タンクに伸び込んでいるので、完全に排出することができない。
【先行技術文献】
【特許文献】
【０００６】
【特許文献１】（特に無し）
【発明の概要】
【０００７】
上記問題を解決するために、本発明は、ポータブル隙間スプレー便器（ポータブル隙間放水式便器）を提供する。本発明に係るポータブル隙間スプレー便器は、手動ピストン加圧ポンプと電気ポンプの二種の水洗システムが便座に兼ね備えられた構成を実現し、一方、内部に遮断分流稜が設けられた隙間型水洗ノズルと段差型環状流平台により水流の二次均一化を実現することにより、確実な節水、効果的な濯ぎを実現し、また、埋め込み式シールバルブの取り付けと嵌合ブロック型サイドバックルの成形方法により、同じ利用空間の容量の最大化を実現した。生産、貯蔵、使用等の各段階において、高効率、コンパクトをもたらし、また、汚水タンクの底部にブロー成形されたスリット位置決め溝により、便器全体の簡単、高信頼性の固定取り付けを実現した。また、本発明のポンプ、バルブ本体により、便利な使用、交換、及び修理を完全に実現し、使用寿命を全体的に延長し、資源を節約した。
【０００８】
本発明の技術方案は以下の通りである。
【０００９】
清水（または清浄水、上水）を収容するための収容キャビティを有する便座を含むポータブル隙間スプレー便器であって、前記便座は上から下まで徐々に狭くなるボウルを有し、前記ボウルの底部は排水口であり、前記ボウルの頂部が段差環状平台であり、前記段差環状平台は幅広部と幅狭部からなり、前記段差環状平台の上方に水流を分流するための隙間型水洗ノズルが設けられ、隙間型水洗ノズルにより実現された分流は段差環状平台に案内されてボウルの表面に均一に分散され、前記便座には、収容キャビティにおける清水を隙間型水洗ノズルに供給可能な清水供給手段が更に配置されていることを特徴とする。
【００１０】
上記技術方案において、前記隙間型水洗ノズルに、ノズル注入口の水流を分流する第１遮断分流稜と第２遮断分流稜とが形成されており、第１遮断分流稜で分流された第１分流の一部が第１横方向に沿って段差環状平台の幅広部から段差環状平台の幅狭部まで流れ、他の一部が下向き方向に沿って扇形でボウルの表面に沿って下へ流れ、第２遮断分流稜で分流された第２分流の一部が第２横方向に沿って段差環状平台の幅広部から段差環状平台の幅狭部まで流れ、他の一部が下向き方向に沿って、ボウルの表面の扇形に沿って下へ流れ、前記第１横方向と第２横方向は逆方向である。
【００１１】
上記技術方案において、前記隙間型水洗ノズルに、第３分流稜が更に形成されており、前記第３分流稜が第１遮断分流稜と第２遮断分流稜との間に位置し、第１遮断分流稜と第２遮断分流稜で分流された下向き水流、第１斜方向と第２斜方向との２つの斜め下方向の水流に更に分流する。
【００１２】
上記技術方案において、前記清水供給手段は、手動供給手段又は電動供給手段、或いは手動供給手段と電動供給手段との組合せである。
【００１３】
前記手動供給手段は、第１管路とピストン加圧ポンプを含み、前記ピストン加圧ポンプは、便座に取り付けられ、ピストン加圧ポンプの注水口により、収容キャビティにおける清水を吸い込み、ピストン加圧ポンプの流出口と接続された第１管路を介して、隙間型水洗ノズルに清水を供給し、前記注水口に、一方向入口バルブ（逆止弁）が設けられる。
【００１４】
前記電動供給手段は、収容キャビティにおける清水を吸引するための水中ポンプ、ジョイント及び第２管路を含み、前記水中ポンプの上流出口がジョイントと接続され、前記水中ポンプは、ジョイント及びジョイントの流出継手と接続された第２管路を介して、隙間型水洗ノズルに清水を供給する。
【００１５】
上記技術方案において、前記手動供給手段は、ナットを更に含み、前記便座に、第１凹溝が形成され、前記ナットの対応する位置に、第１突起が形成され、前記便座とナットは、第１凹溝と第１突起の相互係合により回転可能に接続され、前記ピストン加圧ポンプのシリンダの外壁面に雄ねじが形成され、前記シリンダがナットとねじ接続され、前記ナットと便座との間に、第１シールリングが設けられ、前記シリンダとナットとの間に、第２シールリングが設けられる。
【００１６】
上記技術方案において、前記手動供給手段は、ナットの緩みを防止するための第１緩み防止手段とシリンダの回転を防止するための位置決め手段を更に含み、前記第１緩み防止手段はナットと便座とを接続し、前記位置決め手段は主に位置決めくさびと連結アームからなり、前記位置決めくさびは、連結アームによりシリンダと固定接続され、前記便座に、位置決めくさびに一致する窪みが形成され、前記位置決めくさびが窪みに挿入されている。
【００１７】
上記技術方案において、前記便座には、収容キャビティ内に水を補充する注水口が設けられ、前記注水口に、キャビティを有するジョイントが設けられ、前記ジョイントの頂部の外側面が下へ窪んで注水するための注水通路を形成し、前記注水通路により、注水口の頂部開口と収容キャビティを連通し、前記注水口の頂部内側に注水口内環が形成され、前記ジョイントは注水口内環に一致する凹挟み口を有し、注水口内環と凹挟み口との嵌合位置決めにより、ジョイントが注水口と着脱可能に接続され、前記水中ポンプの流出継手がジョイントの流込端（または流入端）と接続され、前記第２管路の一端がジョイントの流出端と接続され、前記注水通路がキャビティと連通されず、前記ジョイントの流込端及び流出端がキャビティと連通されている。
【００１８】
上記技術方案において、該ポータブル隙間スプレー便器は、汚水を収納するための汚水タンクを更に含み、前記汚水タンクの頂部に、汚水タンクと回転可能に接続された埋め込み型バルブロックナット及び埋め込み型バルブロックナットとねじ接続されたねじ型シールバルブが取り付けられ、前記ねじ型シールバルブが排水口と連通され、前記汚水タンクに、第２凹溝が形成され、前記埋め込み型バルブロックナットの対応する位置に、第２突起が形成され、前記埋め込み型バルブロックナットと汚水タンクは第２凹溝と第２突起の相互係合により一体に接続され、前記埋め込み型バルブロックナットと汚水タンクとの間に第３シールリングが設けられ、前記ねじ型シールバルブと埋め込み型バルブロックナットとの間に、第４シールリングが設けられ、前記汚水タンクと埋め込み型バルブロックナットとの結合部が汚水タンクの内部キャビティ方向へ窪むように形成されることにより、ねじ型シールバルブが汚水タンクに沈まれ、前記汚水タンクに固定の汚水排出口及び／又は汚水タンクと回転可能に接続された下水管が設けられる。
【００１９】
上記技術方案において、前記埋め込み型バルブロックナットと汚水タンクとの間に、埋め込み型バルブロックナットの緩みを防止するための第２緩み防止手段が設けられる。
【００２０】
上記技術方案において、前記汚水タンクに第３凹溝が形成され、前記下水管の外壁面における対応する位置に第３突起が形成され、前記下水管と汚水タンクは、第３凹溝と第３突起との相互係合により一体に接続され、下水管と汚水タンクとの間に、第５シールリングが設けられ、前記下水管の一部が汚水タンクに伸び込まれ、汚水タンクの内壁面の下水管に近接する注入口位置に、斜面構造が設けられ、前記斜面構造の最高点（最高地点）が下水管の入口と同一平面にある。
【００２１】
上記技術方案において、前記汚水タンクは、底部にスリット位置決め溝を有し、前記スリット位置決め溝の内部に、スリット位置決め溝に挿入可能なシート状固定板又はＵ字状鉄筋のいずれかを挟持するための挟持構造が設けられる。
【００２２】
本発明は以下の利点を有する。手動ピストン加圧ポンプと電気ポンプの二種の水洗システムが便座に兼ね備えられた構成を実現し、一方、内部に遮断分流稜が設けられた隙間型水洗ノズルと段差型環状流平台により水流の二次均一化を実現することにより、確実に節水、効果的な濯ぎを実現し、また、埋め込み式シールバルブの取り付けと嵌合ブロック型サイドバックルの成形方法により、同じ利用空間の容量の最大化を実現する。また、生産、貯蔵、使用等の各段階において、高効率化、コンパクト化をもたらす。また、汚水タンクの底部にブロー成形されたスリット位置決め溝により、便器全体の簡単、高信頼性の固定取り付けを実現する。また、本発明のポンプ、バルブ本体により、便利な使用、交換、及び修理を完全に実現し、使用寿命を全体的に延長し、資源を節約できた。本発明は、現在市場に出回っている関連製品と比べ、汎用性が強く、本発明の構造の一部だけで現在市場に出回っている製品における関連部位を改善し、製品をアップグレーディングさせ、その利用価値を向上させることができる。
【００２３】
本発明の実施例又は従来技術における技術的解決手段を明確に説明するために、以下、実施例又は従来技術の説明に必要とする図面を簡単に説明する。もちろん、以下の説明における図面は本発明の実施例に過ぎず、当業者にとって、創造的な労働をしなくても、提供された図面に基づいて他の実施図面を得することができる。
【図面の簡単な説明】
【００２４】
【図１】図１は本発明に係る便座の平面構造図である。
【図２】図２は本発明に係る隙間型水洗ノズルの構造図である。
【図３】図３は本発明に係る手動供給手段の構造模式図である。
【図４】図４は本発明に係る電動供給手段の構造模式図である。
【図５】図５は本発明に係る汚水タンクの断面構造模式図である。
【図６】図６は本発明に係る汚水タンクの斜視構造模式図である。
【図７】図７は本発明に係る下水管と汚水タンクとの接続部位の構造模式図である。
【図８】図８は本発明に係る下水管と汚水タンクとの接続部位部の断面構造模式図である。
【図９】図９は本発明に係る汚水タンクの底部の構造模式図である。
【図１０】図１０は本発明の分解構造模式図である。
【図１１】図１１は本発明の斜視構造模式図である。
【図１２】図１２は本発明に係るジョイントの斜視構造模式図である。
【図１３】図１３は低型汚水タンクの斜視構造模式図である。
【発明を実施するための形態】
【００２５】
以下、図面及び実施例を参照して本発明を更に説明する。
【００２６】
以下、本発明の実施例を詳しく説明し、前記実施例の例示を図面に示し、常に同じ又は類似する符号で同じ又は類似する部材或いは同じ又は類似機能を有する部材を示す。以下、図面に示す実施例は例示的なものであり、本発明を解釈するためのものに過ぎず、本発明を限定するためのものではない。
【００２７】
本発明の記述において、理解すべきであるのは、技術用語の「第１」、「第２」、「第３」、「第４」、「第５」は説明するためのものに過ぎず、相対的な重要性を指示又は暗示するためのものではないことである。
【００２８】
本発明の記述において、明確的に規定又は限定しない限り、技術用語の「取り付ける」、「連通する」、「接続する」が広義的に理解されるべき、例えば、固定接続されてもよいし、着脱可能に接続されてもよいし、又は一体に接続されてもよい。また、直接に連通されてもよいし、中間媒体で間接に連通されてもよい。当業者にとって、具体的な状況に応じて上記の用語の本発明における具体的な意味を理解することができる。
【００２９】
図１と図２に示すように、ポータブル隙間スプレー便器は、清水を収容するための収容キャビティ１０を有する便座１を含む。また、前記便座１は上から下まで徐々に狭くなるボウル１１を有し、前記ボウル１１の底部は排水口１４であり、前記ボウル１１の頂部は段差環状平台１２であり、前記段差環状平台１２は幅広部１２１と幅狭部１２３からなり、前記段差環状平台１２の上方に水流を分流するための隙間型水洗ノズル１１１が設けられ、隙間型水洗ノズル１１１による分流は、段差環状平台１２に案内されてボウル１１の表面に均一に分散され、前記便座１に収容キャビティ１０における清水を隙間型水洗ノズル１１１に供給可能な清水供給手段が更に配置されていることを特徴とする。
【００３０】
図２に示すように、好ましくは、前記隙間型水洗ノズル１１１に、ノズル注入口１１２の水流を分流する第１遮断分流稜１１８と第２遮断分流稜１１４が形成されており、第１遮断分流稜１１８で分流された第１分流の一部が第１横方向１１９に沿って段差環状平台１２の幅広部１２１から段差環状平台１２の幅狭部１２３まで流れ、他の一部が下向き方向に沿って扇形でボウル１１の表面に沿って下へ流れ、第２遮断分流稜１１４で分流された第２分流の一部が第２横方向１１３に沿って段差環状平台１２の幅広部１２１から段差環状平台１２の幅狭部１２３まで流れ、他の一部が下向き方向に沿って扇形でボウル１１の表面に沿って下へ流れる。この過程において、段差環状平台１２に沿って横方向に流動する水流の流量が段差環状平台１２の収容力よりも高いと、段差環状平台１２から溢れて下へ流れていくので、この過程は、段差環状平台１２に沿って流動しながら段差環状平台１２から下へ流れる過程であり、このように、水流がボウル１１の表面における分散を完成し、前記第１横方向１１９と第２横方向１１３が逆方向である。
【００３１】
好ましくは、前記隙間型水洗ノズル１１１に、第３分流稜１１６が更に形成されており、前記第３分流稜１１６が第１遮断分流稜１１８と第２遮断分流稜１１４との間に位置し、第１遮断分流稜１１８と第２遮断分流稜１１４で分流された下向き水流を、第１斜方向１１７と第２斜方向１１５との２つの斜め下方向の水流に更に分流する。
【００３２】
図３に示すように、好ましくは、前記清水供給手段は、手動供給手段又は電動供給手段、或いは手動供給手段と電動供給手段との組合せであり、前記手動供給手段は、第１管路１５３とピストン加圧ポンプ１５４を含み、前記ピストン加圧ポンプ１５４は、便座１に取り付けられ、ピストン加圧ポンプの注水口１５７により、収容キャビティ１０における清水を吸い込み、ピストン加圧ポンプの流出口１５８と接続された第１管路１５３を介して、隙間型水洗ノズル１１１に清水を供給する。また、前記注水口１５７には、一方向入口バルブ（逆止弁）が設けられている。
【００３３】
本実施例において、ここで、具体的なピストン加圧ポンプを例示すると、前記ピストン加圧ポンプは、主にシリンダ１５１、ハンドル１５４、ピストン１５５、及びシリンダ端カバー１５からなり、前記シリンダ端カバー１５はシリンダ１５１の開口端に着脱可能に接続され、前記ピストン１５５がシリンダ１５１の内部に位置し、前記ハンドル１５４は、シリンダ端カバー１５を貫通するとともにその底端がピストン１５５と固定接続され、好ましくは、前記ピストン１５５の周面に、Ｏリング１５６を収納するための環状溝が形成されている。本出願の保護範囲は、本実施例に挙げたピストン加圧ポンプに限定されないことを理解すべきである。
【００３４】
図４に示すように、前記電動供給手段は、収容キャビティ１０における清水を吸引するための水中ポンプ１８及び第２管路１７８を含み、前記水中ポンプ１８は、第２管路１７８を介して隙間型水洗ノズル１１１に清水を供給する。
【００３５】
図３に示すように、好ましくは、前記手動供給手段は、ナット１６を更に含み、前記便座１に第１凹溝１１６が形成され、前記ナット１６の対応する位置に第１突起が形成され、前記便座１とナット１６は第１凹溝１１６と第１突起の相互係合により回転可能に接続され、前記ピストン加圧ポンプのシリンダ１５１の外壁面に雄ねじが形成され、前記シリンダ１５１がナット１６とねじ接続、前記ナット１６と便座１との間に、第１シールリング１６１が設けられ、前記シリンダ１５１とナット１６との間に、第２シールリング１６８が設けられている。
【００３６】
第１シールリング１６１は、第１凹溝１１６の下方に設けられることが好ましく、前記第２シールリング１６８はシリンダ１５１とナット１６とのねじ接続部の上方に設けられることが好ましい。
【００３７】
図３に示すように、好ましくは、前記手動供給手段は、ナット１６の緩みを防止するための第１緩み防止手段と、シリンダ１５１の回転を防止するための位置決め手段を更に含み、前記第１緩み防止手段はナット１６と便座１とを接続し、前記位置決め手段は主に位置決めくさび１６９と連結アーム１５９からなり、前記位置決めくさび１６９は連結アーム１５９によりシリンダ１５１と固定接続され、前記便座１に位置決めくさび１６９に一致する窪み１０９が形成され、前記位置決めくさび１６９は窪み１０９に挿入されている。
【００３８】
好ましくは、第１緩み防止手段は、以下のように構成されてもよい。前記第１緩み防止手段は、ナット１６の周面に固定接続されたラチェット１６３と、便座１に取り付けられた歯止め１０３とからなり、前記歯止め１０３とラチェット１６３は、ラチェット機構を構成し、前記ラチェット機構により、ナット１６を締め付け方向のみへ回転させることができ、それにより、締め付けたナット１６が使用過程において次第に緩むことを防止することができる。更に、人工的に手動で、歯止め１０３とラチェット１６３との接続を完全に離脱させることができ、このような歯止め１０３とラチェット１６３を完全に離脱させる手段は、従来の実現手段（例えば、歯止め１０３を、人為の引き抜きでラチェット１６３に対して昇降させることにより、ラチェット１６３と完全に離脱させることができる）を採用することができるので、本発明の実施例はこれに限定されない。このように設計すると、ナット１６を着脱しやすいとともに、人為的な介入がなくても、ナット１６が緩まないことを確保する。本出願の保護範囲は、本実施例に挙げた第１緩み防止手段に限定されないことを理解すべきである。ナット１６を回転させることによりピストン加圧ポンプを便座１にしっかりと固定することができる。
【００３９】
図４と図１２に示すように、好ましくは、前記便座１には、収容キャビティ１０内に水を補充するための注水口１７が設けられ、前記注水口１７に、キャビティ１７２を有するジョイント１７０が設けられ、前記ジョイント１７０の頂部の外側面が下へ窪んで注水するための注水通路１７３を形成し、前記注水通路１７３により、注水口１７の頂部の開口と収容キャビティ１０を連通し、即ち、ジョイント１７０により、注水口１７の頂部の開口の一部を塞ぎ、塞がれない他の一部が注水通路１７３の頂部である。前記注水口１７の頂部の内側に、注水口内環１７１が形成され、前記ジョイント１７０は注水口内環１７１に一致する凹挟み口１７４を有し、注水口内環１７１と凹挟み口１７４との嵌合位置決めにより、ジョイント１７０が注水口１７と着脱可能に接続され、前記水中ポンプ１８の流出継手１８１がジョイント１７０の流込端１７６と接続され、前記第２管路１７８の一端がジョイント１７０の流出端１７５と接続され、前記注水通路１７３がキャビティ１７２と連通されず、前記ジョイント１７０の流込端１７６及び流出端１７５がキャビティ１７２と連通されている。
【００４０】
第２管路１７８は三方バルブ等により第１管路１７８と連通されてもよく、第１管路１７８の末端にベンド１５２が接続されてもよく、ベンド１５２により隙間型水洗ノズル１１１に給水する。
【００４１】
図５と図６に示すように、好ましくは、該ポータブル隙間スプレー便器は、汚水を収納するための汚水タンク２を更に含み、前記汚水タンク２の頂部に汚水タンク２と回転可能に接続された埋め込み型バルブロックナット７及び埋め込み型バルブロックナット７とねじ接続されたねじ型シールバルブ６が取り付けられ、前記ねじ型シールバルブ６が排水口１４と連通され、前記汚水タンク２に、第２凹溝が形成され、前記埋め込み型バルブロックナット７の対応する位置に、第２突起が形成され、前記埋め込み型バルブロックナット７と汚水タンク２は、第２凹溝と第２突起との相互係合により一体に接続され、前記埋め込み型バルブロックナット７と汚水タンク２との間に、第３シールリング７０１が設けられ、前記ねじ型シールバルブ６と埋め込み型バルブロックナット７との間に、第４シールリング６０２が設けられ、前記汚水タンク２と埋め込み型バルブロックナット７との結合部が汚水タンク２の内部キャビティ方向へ窪むように形成されることにより、ねじ型シールバルブ６が汚水タンク２に沈まれ、前記汚水タンク２に、固定された汚水排出口２０２及び／又は汚水タンク２と回転可能に接続された下水管８が設けられている。
【００４２】
下水管８の末端に着脱可能に接続されたカバー本体８０１、ねじ型シールバルブ６には専用の自動垂下ハンドル６０１を有することを理解すべきである。ここで説明する必要があるのは、ねじ型シールバルブ６が汚水タンク２内に沈むことは、ねじ型シールバルブ６の頂面と汚水タンク２の頂面とが基本的に同一平面にあることを指し、このように、空間をより良く利用し、全体の構造をよりコンパクトにし、同じ空間を全体的に利用する場合に容量の最大化を実現するという利点がある。
【００４３】
更に、前記埋め込み型バルブロックナット７と汚水タンク２との間に、埋め込み型バルブロックナット７の緩みを防止するための第２緩み防止手段が設けられている。
【００４４】
好ましくは、第２緩み防止手段は以下のように構成されてもよい。前記第２緩み防止手段は、埋め込み型バルブロックナット７の周面に固定接続された外歯車７０４と、汚水タンク２に取り付けられた内歯車２０４とからなり、前記外歯車７０４と内歯車２０４は、相互噛合又は離脱可能である。このように設計すると、埋め込み型バルブロックナット７を着脱しやすいとともに、人為的な介入がなくても、埋め込み型バルブロックナット７が緩まないことを確保する。本出願の保護範囲は本実施例に挙げた第２緩み防止手段に限定されないことを理解すべきである。第２緩み防止手段は第１緩み防止手段の構成を採用してもよく、同様に、第１緩み防止手段は第２緩み防止手段のような構成を採用してもよい。
【００４５】
図７と図８に示すように、更に、前記汚水タンク２に第３凹溝３０３が形成され、前記下水管８の外壁面における対応する位置に、第３突起８０３が形成され、前記下水管８と汚水タンク２は、第３凹溝３０３と第３突起８０３の相互係合により一体に接続され、下水管８と汚水タンク２との間に、第５シールリング８０２が設けられ、前記下水管８の一部が汚水タンク２に伸び込み、汚水タンク２の内壁面における下水管８の注入口に近接する位置に、斜面構造３１０が設けられ、前記斜面構造３１０の最上点と下水管８の注入口とは同一平面にある。前記同一平面にあるとは、基本的に同一平面にあることであり、僅かに高い又は低いことが許されることを理解すべきである。図８に示すように、斜面構造３１０がないと、下水管の一部が汚水タンクに伸び込んでいるので、下水管の伸び込み部分と汚水タンクとの間の領域に、常に汚水が溜まり、完全に排出することができない。斜面構造３１０により、図８に示すように、先ず、汚水タンクを左回りに９０度回転し、大部分の汚水を排出した後、更に、左回りに９０度回転し、斜面構造３１０により汚水をすべて排出することができ、汚水の溜まりを防止する。
【００４６】
図９に示すように、前記汚水タンク２は、底部にスリット位置決め溝２２０を有し、前記スリット位置決め溝２２０の内部に、スリット位置決め溝２２０に挿入可能なシート状固定板又はＵ字状鉄筋のいずれかを挟持する挟持構造が設けられている。シート状固定板、Ｕ字状鉄筋は固定ベースに固定されることにより、汚水タンク２を固定しやすくする。
【００４７】
図１０と図１１に示すように、実際の必要に応じて、該ポータブル隙間スプレー便器は、シートリング９０７、シートカバー９０８及びサイドバックル９０２を含んでもよく、前記汚水タンク２と便座１は、位置決めくさび９０９を位置決め基準として、サイドバックル９０２により着脱可能に一体に接続されている。前記汚水タンク２に、ブロー成形で一次成形された固定ハンドル２０１、３１０が設けられてもよく、前記注水口１７に、キャップ９０３が設けられていることを理解すべきである。
【００４８】
好ましくは、前記汚水タンク２に容量を増加するための嵌合ブロック構造３０５が設けられている。
【００４９】
好ましくは、前記汚水タンク２に、選択的な排気ボタンとレベル表示装置９０１が設けられている。
【００５０】
図１３に示すように、選択的に、前記汚水タンク２は低型汚水タンクであってもよく、その上に汚水タンクカバー８００、固定ハンドル３１０が設けられてもよく、その底部にスリット位置決め溝２２０が設けられてもよい。
【００５１】
開示された実施例に対する上記説明に基づいて、当業者は本発明を実現又は使用することができる。これらの実施例に対する様々な修正が可能であることは当業者にとって明らかであり、本文に定義された一般的な原理は、本発明の原理又は範囲から逸脱しない場合には、他の実施例においても実現することができる。したがって、本発明は本文に示すこれらの実施例に限定されたものではなくて、本文に開示した原理及び新規な特徴と一致する最も広い範囲に符合すべきである。
【符号の説明】
【００５２】
１  便座
１０  収容キャビティ
１０３  （便座１に取り付けられた）歯止め
１０９  （位置決めくさび１６９に一致する）窪み
１１  （上から下まで徐々に狭くなる）ボウル
１１１  隙間型水洗ノズル
１１２  ノズル注入口
１１３  第２横方向
１１４  第２遮断分流稜
１１５  第２斜方向
１１６  （図２において）第３分流稜、（図３において）第１凹溝
１１７  第１斜方向
１１８  第１遮断分流稜
１１９  第１横方向
１２  段差環状平台
１２１  （前記段差環状平台１２の）幅広部
１２３  （前記段差環状平台１２の）幅狭部
１４  排水口
１５  シリンダ端カバー
１５１  シリンダ
１５２  ベンド
１５３  第１管路
１５４  （図１において）ピストン加圧ポンプ、（図３において）ハンドル
１５５  ピストン
１５６  Ｏリング
１５７  （ピストン加圧ポンプ１５４の）注水口
１５８  （ピストン加圧ポンプ１５４の）流出口
１５９  連結アーム
１６  ナット
１６１  第１シールリング
１６３  （ナット１６の周面に固定接続された）ラチェット
１６８  第２シールリング
１６９  位置決めくさび
１７  注水口
１７０  （キャビティ１７２を有する）ジョイント
１７１  （注水口１７の頂部の内側に形成されている）注水口内環
１７２  キャビティ
１７３  （ジョイント１７０の頂部の外側面が下へ窪んで注水するための）注水通路
１７４  （注水口内環１７１に一致する）凹挟み口
１７５  （ジョイント１７０の）流出端
１７６  （ジョイント１７０の）流込端
１７８  （収容キャビティ１０における清水を吸引するための）第２管路
１８  （収容キャビティ１０における清水を吸引するための）水中ポンプ
１８１  （水中ポンプ１８の）流出継手
２  汚水タンク
２０１  （ブロー成形で一次成形された）固定ハンドル
２０２  （汚水タンク２に固定された）汚水排出口
２０４  （汚水タンク２に取り付けられた）内歯車
２２０  （汚水タンク２の）スリット位置決め溝
３０３  第３凹溝
３０５  嵌合ブロック構造
３１０  （図８において）斜面構造、（図１３において）固定ハンドル
６  ねじ型シールバルブ
６０１  自動垂下ハンドル
６０２  第４シールリング
７  埋め込み型バルブロックナット
７０１  第３シールリング
７０４  外歯車
８  下水管
８００  汚水タンクカバー
８０１  カバー本体
８０２  第５シールリング
８０３  第３突起
９０１  レベル表示装置
９０２  サイドバックル
９０７  シートリング
９０８  シートカバー
９０９  位置決めくさび
【図１】
0006494774.tif 000002
【図２】
0006494774.tif 000003
【図３】
0006494774.tif 000004
【図４】
0006494774.tif 000005
【図５】
0006494774.tif 000006
【図６】
0006494774.tif 000007
【図７】
0006494774.tif 000008
【図８】
0006494774.tif 000009
【図９】
0006494774.tif 000010
【図１０】
0006494774.tif 000011
【図１１】
0006494774.tif 000012
【図１２】
0006494774.tif 000013
【図１３】
0006494774.tif 000014